(57)【特許請求の範囲】
【請求項１】
アルカリ剤と溶剤と界面活性剤とを含有するガラス用洗浄剤であって、
前記アルカリ剤として、モルホリンと、ピペリジン及びピロリジンから選択される１種以上とを含有することを特徴とするガラス用洗浄剤。
【請求項２】
請求項１に記載のガラス用洗浄剤であって、
前記ガラス用洗浄剤中に、ピペリジン及びピロリジンから選択される１種以上を合計で０．０５０重量％〜０．２０重量％含有することを特徴とするガラス用洗浄剤。
【請求項３】
請求項１に記載のガラス用洗浄剤であって、
前記アルカリ剤として、モルホリンとピペリジンのみを含有し、ピペリジンの含有量が０．０５０重量％〜０．２０重量％であることを特徴とするガラス用洗浄剤。
【請求項４】
請求項１に記載のガラス用洗浄剤であって、
前記アルカリ剤として、モルホリンとピロリジンのみを含有し、ピロリジンの含有量が０．０５０重量％〜０．２０重量％であることを特徴とするガラス用洗浄剤。
【発明の詳細な説明】
【技術分野】
【０００１】
本発明は、ガラスや鏡に付着した汚れの洗浄に好適なガラス用洗浄剤に関するものである。
【背景技術】
【０００２】
従来、ガラスや鏡の表面に付着した汚れの洗浄には、アルカリ剤、溶剤、及び界面活性剤を主成分とするガラス用洗浄剤が広く使用されている。
【０００３】
また、このようなガラス用洗浄剤を用いたガラスや鏡の洗浄は、ガラス用洗浄剤をガラスや鏡の表面に直接付着させ、そして、布でガラスや鏡に付着した汚れを拭き取るようにして行われる、或いは、布にガラス用洗浄剤を付着させて、その布でガラスや鏡に付着した汚れを拭き取るようにして行われる。
【０００４】
このため、ガラス用洗浄剤に含まれる成分、特に、アルカリ剤には、布で拭き取った後にガラスや鏡の表面に拭き跡が残ることのないよう、揮発性を有する成分が用いられることが好ましい。例えば、特許文献１に記載のガラス用洗浄剤では、アルカリ剤として、アルカノールアミンやモルホリンといった揮発性を有する成分が使用されている。
【特許文献１】特開平１１−２６９４８６号公報
【発明の開示】
【発明が解決しようとする課題】
【０００５】
しかしながら、アルカノールアミンが単独でアルカリ剤として含有されたガラス用洗浄剤は、炭酸ナトリウムや水酸化ナトリウムといった不揮発性のアルカリ剤が含有されているガラス用洗浄剤と比べると少ないものの、依然としてガラスや鏡の表面に拭き跡を残すものであった。
【０００６】
一方、モルホリンが単独でアルカリ剤として含有されたガラス用洗浄剤は、ガラスや鏡の表面に拭き跡を残さないものの、洗浄力に乏しかった。
【０００７】
本発明はこのような状況に鑑みてなされたものであって、ガラスや鏡の表面に拭き跡を残すことがなく、且つ洗浄力に優れたガラス用洗浄剤を提供することを目的とする。
【課題を解決するための手段】
【０００８】
本発明に係るガラス用洗浄剤は、アルカリ剤と溶剤と界面活性剤とを含有するガラス用洗浄剤であって、前記アルカリ剤として、モルホリンと、ピペリジン及びピロリジンから選択される１種以上とを含有することを特徴とする。
【０００９】
本発明に係るガラス用洗浄剤によれば、前記ガラス用洗浄剤中には、ピペリジン及びピロリジンから選択される１種以上が合計で０．０５０重量％〜０．２０重量％含有されていていることが好ましい。
【００１０】
本発明に係るガラス用洗浄剤によれば、前記アルカリ剤として、モルホリンとピペリジンのみが含有されていてもよく、この場合におけるピペリジンの含有量は、０．０５０重量％〜０．２０重量％であることが好ましい。
【００１１】
本発明に係るガラス用洗浄剤によれば、前記アルカリ剤として、モルホリンとピロリジンのみが含有されていてもよく、この場合におけるピロリジンの含有量は、０．０５０重量％〜０．２０重量％であることが好ましい。
【発明の効果】
【００１２】
本発明に係るガラス用洗浄剤によれば、アルカリ剤として、モルホリンと、ピペリジン又はピロリジンとが含有されるので、ガラスや鏡の表面に拭き跡を残すことがなく、且つ洗浄力に優れたガラス用洗浄剤を提供することができる。
【発明を実施するための最良の形態】
【００１３】
以下、本発明を詳細に説明する。
【００１４】
本発明に係るガラス用洗浄剤は、アルカリ剤と溶剤と界面活性剤とを含有するガラス用洗浄剤であって、前記アルカリ剤として、モルホリンと、ピペリジン及びピロリジンから選択される１種以上とを含有することを特徴とする。
【００１５】
＜アルカリ剤＞
本発明においては、アルカリ剤として、モルホリンと、ピペリジン及びピロリジンから選択される１種以上とが併用される。
【００１６】
ガラス用洗浄剤中におけるモルホリンの含有量は、拭き跡を残さず、且つ、ピペリジン及びピロリジンから選択される１種以上と、以下に示す界面活性剤及び溶剤との併用により、十分な洗浄力が得られるとともに、アミン臭が強くなりすぎない量とされていることが好ましい。具体例としては、モルホリンは、ガラス用洗浄剤中に、０．３重量％〜１．０重量％含有されていることが好ましい。ガラス用洗浄剤中のモルホリンの含有量が０．３重量％未満の場合には、洗浄力が不足するおそれがある。また、ガラス用洗浄剤の洗浄力は、ガラス用洗浄剤中に含まれるモルホリンの含有量の増加に伴って向上するが、モルホリンの含有量が１．０重量％を超えるとほぼ一定となる。
【００１７】
また、ガラス用洗浄剤中におけるピペリジン及びピロリジンから選択される１種以上の含有量の合計は、拭き跡を残さず、且つ、モルホリンと、以下に示す界面活性剤及び溶剤との併用により、十分な洗浄力が得られるとともに、アミン臭が強くなりすぎない量とされることが好ましい。例えば、ガラス用洗浄剤中には、ピペリジン及びピロリジンから選択される１種以上が、合計で０．０５０重量％〜０．２０重量％含有されていることが好ましい。ガラス用洗浄剤中におけるピペリジン及びピロリジンから選択される１種以上の含有量の合計が０．０５０重量％未満の場合には、十分な洗浄力を得ることができないおそれがあり、０．２０重量％を超える場合には、強いアミン臭がするおそれがある。
【００１８】
なお、モルホリンとピペリジンのみをアルカリ剤として併用する場合には、ガラス用洗浄剤中におけるピペリジンの含有量は、０．０５０重量％〜０．２０重量％であることが好ましく、特に、０．０８５重量％〜０．２０重量％であることが好ましい。モルホリンとピペリジンのみをアルカリ剤として併用した場合、ガラス用洗浄剤中のピペリジンの含有量が０．０５０重量％未満の場合には、十分な洗浄力を得ることができないおそれがあり、０．２０重量％を超える場合には、強いアミン臭がするおそれがある。
【００１９】
また、モルホリンとピロリジンのみをアルカリ剤として併用する場合には、ガラス用洗浄剤中におけるピロリジンの含有量は、０．０５０重量％〜０．２０重量％であることが好ましく、特に、０．０７５重量％〜０．２０重量％であることが好ましい。モルホリンとピロリジンのみをアルカリ剤として併用した場合において、ガラス用洗浄剤中のピロリジンの含有量が０．０５０重量％未満の場合には、十分な洗浄力を得ることができないおそれがあり、また、０．２０重量％を超える場合には、強いアミン臭がするおそれがある。
【００２０】
なお、アルカリ剤のアミン臭の臭気強度は１２２０以下であることが好ましい。臭気強度が１２２０以下の場合には、例えば、下記に示す香料によりアミン臭をマスキングすることが可能であるが、１２２０を超える場合には、香料によりアミン臭を良好にマスキングすることができず、ガラス用洗浄剤から強いアミン臭が発せられるおそれがある。なお、ここでいうアルカリ剤のアミン臭の臭気強度とは、上記したアルカリ剤のみを含有するアルカリ剤水溶液を２０℃の恒温室（湿度４０％）内にてにおいセンサーＸＲ−３２９（新コスモス電機製）により、ベース感度を１００として測定した時の臭気強度をいう。
【００２１】
＜溶剤＞
また、本発明のガラス用洗浄剤において、溶剤には、上記したアルカリ剤と、以下に示す界面活性剤との併用により、良好な洗浄力を発揮することができる揮発性の水溶性溶剤をいずれも使用することができ、例えば、沸点２００℃以下のアルコール類やグリコール類およびその誘導体を好適に使用することができる。
【００２２】
アルコール類の具体例としては、メタノール、エタノール、ｎ−プロパノール、イソプロパノール、ｎ−ブタノール、イソブタノール、第二ブタノール、第三ブタノール、ｎ−アミルアルコール、活性アミルアルコール、イソアミルアルコール、第二アミルアルコール、３−ペンタノール、第三アミルアルコール、ｎ−ヘキサノール、メチルアミルアルコール、２−エチルブタノール、ｎ−ヘプタノール、２−ヘプタノール、３−ヘプタノール、ｎ−オクタノール、２−オクタノール、２−エチルヘキサノール、３，５，５−トリメチルヘキサノール、ノナノール、テトラデカノール、シクロヘキサノール、２−メチルシクロヘキサノール、グリシドール、フルフリルアルコール、テトラヒドロフルフリルアルコール、アリルアルコール、日本アルコール販売会社製のソルミックス(登録商標)等を挙げることができる。
【００２３】
また、グリコール類およびその誘導体の具体例としては、エチレングリコール、エチレングリコールモノメチルエーテル、エチレングリコールモノメチルエーテルアセテートエチレングリコールモノエチルエーテル、エチレングリコールジエチルエーテル、エチレングリコールモノエチルエーテルアセテート、エチレングリコールイソプロピルエーテル、エチレングリコールモノブチルエーテル、エチレングリコールモノブチルエーテルアセテート、エチレングリコールイソアミルエーテル、メトキシメトキシエタノール、エチレングリコールモノアセテート、ジエチレングリコールモノメチルエーテル、ジエチレングリコールジメチルエーテル、ジエチレングリコールメチルエチルエーテル、ジエチレングリコールジエチルエーテル、プロピレングリコールモノメチルエーテル、プロピレングリコールモノエチルエーテル、プロピレングリコールモノブチルエーテル、ジプロピレングリコールモノメチルエーテル、ジプロピレングリコールモノエチルエーテル、へキシレングリコール、エチレングリコールｔ−ブチルエーテル、３−メチル−３−メトキシブタノール、３−メトキシブタノール、プロピレングリコールモノエチルエーテルアセテートを挙げることができる。
【００２４】
なお、上記した溶剤は、単独で使用しても、２種以上を併用して使用してもよい。
【００２５】
また、ガラス用洗浄剤中における溶剤の含有量は、拭き跡を残さず、且つ、上記したアルカリ剤と、以下に示す界面活性剤との併用により、十分な洗浄力を得ることができる量とされていることが好ましい。具体例としては、溶剤は、ガラス用洗浄剤中に、０．５重量％〜２０重量％含有されていることが好ましい。ガラス用洗浄剤中の溶剤の含有量が０．５重量％未満の場合には、洗浄力が不十分となるおそれがあり、２０重量％を超える場合には、拭き取り時の乾燥が速くなりすぎて拭き跡が残ってしまう等、良好な仕上がりを得ることができないおそれがある。
【００２６】
＜界面活性剤＞
また、本発明のガラス用洗浄剤において、界面活性剤には、上記したアルカリ剤及び溶剤との併用により良好な洗浄力を発揮することができるものをいずれも使用することができる。例えば、アルキルエーテル硫酸エステル塩等の陰イオン性界面活性剤、アンモニウムクロライド等の陽イオン性界面活性剤、アルキルアミンオキシド、ベタイン等の両性界面活性剤、ポリオキシエチレンアルキルエーテル等の非イオン性界面活性剤等を好適に使用することができる。これらの中でも、特にアルキル基の炭素数が８〜２２のポリオキシエチレンアルキルエーテルを好適に使用することができる。また、界面活性剤として使用されるポリオキシエチレンアルキルエーテルは、エチレンオキサイド（ＥＯ）の付加モル数が１０〜１４のものが好ましい。ポリオキシエチレンアルキルエーテルにおけるエチレンオキサイド（ＥＯ）の付加モル数が１０未満の場合には、ガラスや鏡の表面に拭き跡を残すおそれがあり、また、エチレンオキサイド（ＥＯ）の付加モル数が１４を超える場合には、良好な洗浄力を得ることができないおそれがある。なお、上記した界面活性剤は、単独で使用しても、２種以上を併用して使用してもよい。
【００２７】
また、ガラス用洗浄剤中における界面活性剤の含有量は、拭き跡を残さず、且つ、上記したアルカリ剤及び溶剤との併用により洗浄力を十分に発揮できる量とされていることが好ましい。例えば、界面活性剤は、ガラス用洗浄剤中に、０．０１重量％〜１．０重量％含有されていることが好ましい。ガラス用洗浄剤中の界面活性剤の含有量が、０．０１重量％未満の場合には、洗浄力が不十分となるおそれがあり、また、１．０重量％を超える場合には、拭き跡が残るおそれがある。
【００２８】
＜香料＞
また、本発明において、上記したアルカリ剤から発せられるアミン臭が強い場合には、香料を配合することにより、アミン臭がマスキングされていることが好ましい。香料としては、上記したアルカリ剤から発せられるアミン臭をマスキングすることができるものであれば、いずれのものであってもよく、特に限定されない。香料としては、柑橘系、フローラル系、ミント系等の香料を挙げることができ、その具体例としては、ガラスクリーナーＮＳＦ−５９２７（日進香料株式会社製）、マスキング０８−Ｚ−００９１（日進香料株式会社製）、マスキング０８−Ｚ−００９２（日進香料株式会社製）、マスキング０８−Ｚ−００９３（日進香料株式会社製）、マスキング０８−Ｚ−０３１３（日進香料株式会社製）、クリーナーＮＳ−Ａ５３５３（日進香料株式会社製）、Ｐｅｒｆｕｍｅ０５−Ｚ−００８６（日進香料株式会社製）を挙げることができる。
【００２９】
ガラス用洗浄剤中における香料の含有量は、アルカリ剤から発せられるアミン臭を良好にマスキングすることができる量とされていることが好ましい。例えば、香料は、ガラス用洗浄剤中に、０．０４重量％〜０．３重量％、特に、０．０５重量％〜０．３重量％配合されていることが好ましい。ガラス用洗浄剤中の香料の含有量が０．０４重量％未満の場合には、アルカリ剤から発せられるアミン臭を良好にマスキングすることができないおそれがあり、また、０．３重量％を超えると、原料コストが上がるのに加え、香料のニオイが強くなりすぎるため、好ましくない。
【００３０】
＜その他成分＞
また、本発明のガラス用洗浄剤には、必要に応じて、ガラス用洗浄剤に通常配合されるその他の成分、例えば、有機ホスホン酸、アミノカルボン酸、低級カルボン酸及びこれらの塩等から選ばれる１種以上のキレート剤、色粉等が含有されていてよい。
【００３１】
以下に、実施例を比較例とともに挙げ、本発明の効果をより具体的に説明する。ただし、本発明はこれらの実施例により限定されるものではない。
【００３２】
＜実施例１〜５及び比較例１〜２＞
表１に示す配合成分及び配合量のガラス用洗浄剤を、次に示す用法により調製した。        
【００３３】
【表１】
0005117268.tif 000002
【００３４】
即ち、まず、表１に示す配合成分及び配合量となるように、水、キレート剤、アルカリ剤、溶剤、界面活性剤、香料、及び色粉をビーカーに入れて攪拌し、ガラス用洗浄剤を得た。
【００３５】
このようにして調製された実施例１〜５及び比較例１〜２に係る各ガラス用洗浄剤を試料として、下記の各試験を行った。この結果を表１に示す。
【００３６】
（１）拭き跡試験
鏡面にガラス用洗浄剤１．２ｇをスプレーした後、キムワイプ（登録商標、日本製紙クレシア株式会社製）３枚で上下に１０往復拭いた。乾燥後の拭き跡を目視で下記の基準で評価した。
◎：拭き跡がない。
○：拭き跡がほとんどない。
△：拭き跡が多い
×：拭き跡が非常に多い
【００３７】
（２）拭き取りやすさ（泡の残りにくさ）
鏡面にガラス用洗浄剤をスプレーし、キムワイプ（登録商標、日本製紙クレシア株式会社製）３枚で上下に１０往復拭いた時の泡の残り具合いを目視で下記の基準で評価した。
◎：泡が残らない。
○：泡がほとんど残らない。
△：泡が残る。
×：泡が多く残る。
【００３８】
（３）ヤニ汚れに対する洗浄力
タバコの煙でヤニ汚れを付けたガラス板を、ガラス用洗浄剤１００ｇを入れた２００ｍｌビーカーに浸漬した。３０秒経過後、ガラス板をビーカーから取り出して流水で軽くすすぎ、乾燥後の汚れ落ち具合を目視で評価した。
◎：非常にきれいに汚れが落ちる。
○：きれいに汚れが落ちる。
△：若干汚れが残る。
×：汚れが多く残る。
【００３９】
（４）油汚れに対する洗浄力
大豆油を塗って汚れを付けたガラス板を、ガラス用洗浄剤１００ｇを入れた２００ｍｌビーカーに浸漬した。３０秒経過後、ガラス板をビーカーから取り出し、乾燥後の汚れ落ち具合を目視で評価した。
◎：非常にきれいに汚れが落ちる。
○：きれいに汚れが落ちる。
△：若干汚れが残る。
×：汚れが多く残る。
【００４０】
表１に示す結果より、モルホリンをアルカリ剤として含有する実施例１〜５、及び比較例１のガラス用洗浄剤は、モノエタノールアミンをアルカリ剤として含有する比較例２と比べて、拭き跡を残すことがないことが分かった。
【００４１】
また、モルホリンとピペリジンとをアルカリ剤として併用した実施例１〜５は、ピペリジンを含有しない比較例１及び２と比べて、ヤニ汚れに対する洗浄力に優れていることが分かった。また、ガラス用洗浄剤中のピペリジンの含有量が多いほど、ヤニ汚れに対する洗浄力がよく、ピペリジンの含有量が０．０８５重量％以上である実施例１〜３のガラス用洗浄剤が、特に優れた洗浄力を発揮することが分かった。
【００４２】
＜実施例６〜１０＞
表２に示す配合成分及び配合量のガラス用洗浄剤を実施例１〜５と同様の方法により調製し、調製された実施例６〜１０に係る各ガラス用洗浄剤を試料として、上記した実施例１〜５と同様の各試験を行った。上記した比較例１及び２と比較した結果を表２に示す。
【００４３】
【表２】
0005117268.tif 000003
【００４４】
表２に示す結果より、モルホリンをアルカリ剤として含有する実施例６〜１０は、モノエタノールアミンをアルカリ剤として含有する比較例２と比べて、拭き跡を残すことがない。
【００４５】
また、モルホリンとピロリジンとをアルカリ剤として併用した実施例６〜１０は、ピロリジンを含有しない比較例１及び２と比べて、ヤニ汚れに対する洗浄力に優れていることが分かった。また、ガラス用洗浄剤中のピロリジンの含有量が多いほど、ヤニ汚れに対する洗浄力がよく、ピロリジンの含有量が０．０７５重量％以上である実施例６〜８のガラス用洗浄剤が、特に優れた洗浄力を発揮することわかった。
【００４６】
＜実施例１１〜１６＞
表３に示す配合成分及び配合量のガラス用洗浄剤を実施例１〜１０と同様の方法により調製し、調製された実施例１１〜１６に係る各ガラス用洗浄剤を試料として、上記した実施例１〜１０と同様の各試験を行った。上記した実施例３及び８と比較した結果を表３に示す。
【００４７】
【表３】
0005117268.tif 000004
【００４８】
表３に示す結果より、実施例１１〜１６のガラス用洗浄剤は、いずれも、上記した実施例１〜１０のガラス用洗浄剤と同様に、拭き跡を残すことがなく、且つ洗浄力に優れていることが分かる。また、モルホリンの含有量が多い程、ヤニ汚れに対する洗浄力に優れ、モルホリンの含有量が０．４％以上である実施例３、８、１２、１３、１５、及び１６が、特に優れた洗浄力を発揮することが分かった。
【００４９】
＜実施例１７〜２３＞
表４に示す配合成分及び配合量のガラス用洗浄剤を実施例１〜１６と同様の方法により調製し、調製された実施例１７〜２３に係る各ガラス用洗浄剤を試料として、上記した実施例１〜１６と同様の各試験を行った。上記した実施例４及び７と比較した結果を表４に示す。
【００５０】
【表４】
0005117268.tif 000005
【００５１】
表４に示す結果より、ピペリジンとピロリジンとを併用した実施例１７〜２３のガラス用洗浄剤はいずれも、上記した実施例１〜１６のガラス用洗浄剤と同様に、拭き跡を残すことがなく、且つ、洗浄力に優れていることが分かった。具体的には、ピペリジンとピロリジンとを併用した実施例１７〜２３のガラス用洗浄剤は、ピロリジンを含有しない実施例４のガラス用洗浄剤と同等以上の洗浄力を発揮することが分かった。
【００５２】
表１〜表４の結果をまとめると、モルホリンと、ピペリジン及びピロリジンから選択される１種以上とをアルカリ剤として含有するガラス用洗浄剤は、拭き跡を残さず、且つ適度な洗浄力を有することが分かる。なお、上記した実施例１〜２３のガラス用洗浄剤は、いずれも、アミン臭のするものではなかった。
【００５３】
＜臭気試験＞
アルカリ剤から発せられるアミン臭の程度を調べるため、表５〜７に示す配合成分及び配合量となるように、モルホリンと、ピペリジン又は／及びピロリジンとを水に溶かしてアルカリ剤水溶液をそれぞれ調製し、各アルカリ剤水溶液の臭気試験を実施した。この結果を表５〜７に示す。
【００５４】
【表５】
0005117268.tif 000006
【００５５】
【表６】
0005117268.tif 000007
【００５６】
【表７】
0005117268.tif 000008
【００５７】
（１）官能評価（香料０．０４重量％、０．０５重量％、０．３重量％）
各アルカリ剤水溶液中に、香料（日進香料株式会社製：マスキング０８−Ｚ−００９１）を０．０４重量％、０．０５重量％、０．３重量％の配合量となるように添加し、この時のアミン臭の程度を官能により、下記の基準で評価した。
◎：アミン臭がしない。
○：ごく僅かにアミン臭がする。
△：強いアミン臭がする。
×：極めて強いアミン臭がする。
【００５８】
表５〜７に示す結果より、ピペリジン又は／及びピロリジンの含有量に応じて、香料の配合量を増やすことにより、良好にアミン臭をマスキングすることができることが分かった。
【００５９】
すなわち、モルホリンとピペリジンのみを含有するアルカリ剤水溶液では、ピペリジンの含有量が０．２０重量％以下である場合、香料を上限量、すなわち、０．３重量％加えることにより、アミン臭を良好にマスキングすることができることが分かった。より具体的には、モルホリンとピペリジンのみを含有するアルカリ剤水溶液において、ピペリジンの含有量が０．０５重量％以下の場合には、香料を０．０４重量％以上加えることにより、アミン臭を良好にマスキングすることができ、ピペリジンの含有量が０．０８５重量％以下の場合には、香料を０．０５重量％以上加えることにより、アミン臭を良好にマスキングすることができることが分かった。
【００６０】
また、モルホリンとピロリジンのみを含有するアルカリ剤水溶液においても同様に、ピロリジンの含有量が０．２０重量％以下である場合、香料を上限量、すなわち、０．３重量％加えることにより、アミン臭を良好にマスキングすることができることが分かった。より具体的には、モルホリンとピロリジンのみを含有するアルカリ剤水溶液において、ピロリジンの含有量が０．０５重量％以下の場合には、香料を０．０４重量％以上加えることにより、アミン臭を良好にマスキングすることができ、ピロリジンの含有量が０．０７５重量％以下の場合には、香料を０．０５重量％以上加えることにより、アミン臭を良好にマスキングすることができることが分かった。
【００６１】
また、モルホリンとピペリジンとピロリジンを含有するアルカリ剤水溶液においても同様に、ピペリジンとピロリジンの含有量の合計が０．２０重量％以下である場合、香料を上限量、すなわち、０．３重量％加えることにより、アミン臭を良好にマスキングすることができることが分かった。より具体的には、モルホリンとピペリジンとピロリジンとを含有するアルカリ剤水溶液において、ピペリジンとピロリジンの含有量の合計が０．０５重量％以下の場合には、香料を０．０４重量％以上加えることにより、アミン臭を良好にマスキングすることができ、ピペリジンとピロリジンの含有量が０．０８重量％以下の場合には、香料を０．０５重量％以上加えることにより、アミン臭を良好にマスキングすることができることが分かった。